(57)【特許請求の範囲】
【請求項１】
電子機器本体に軸支されて、閉止ロック位置において摺動が可能であり、閉止ロック位置から開放回動位置までにおいて回動が可能な電子機器用蓋であって、
該電子機器用蓋は一端に回転軸を有し、
他端に閉止ロックに使用される係止爪を有し、
前記回転軸は前記電子機器用蓋が開放回動位置に達したとき、前記回転軸全体で係止可能であり、
前記回転軸部にはアーム部が設けられ、
前記回転軸部に設けられた前記アーム部は、前記回転軸の回転半径よりも回転半径が大きくなるよう形成され、
前記電子機器本体には前記電子機器用蓋を開放回動位置で係止するストッパーと、
前記回転軸と前記アーム部とが係合する回転軸受け部とアーム部受け部とが設けられており、
該回転軸受け部と該アーム部受け部とにはそれぞれ摺動用受け部と回動用受け部とが連通して設けられており、
前記回動用受け部のうち、前記アーム部受け部の方が前記回転軸受け部よりも半径の大きい扇形を形成し、
前記回転軸受け部と前記アーム部受け部との内で前記回転軸と前記アーム部とが摺動と回動とをすることによって開閉可能とし、
前記電子機器用蓋が閉止ロック方向へ回動可能な状態では摺動不可能である
ことを特徴とする電子機器用蓋。
【発明の詳細な説明】
【技術分野】
【０００１】
本発明は、電子機器等で使用される電子機器用蓋の構造に関する。
【背景技術】
【０００２】
従来、電子機器、例えば、カメラ等の小型電子機器の電池収納装置における電池蓋は、電池収納室を開閉するための回動操作と、閉鎖後に上記電池蓋をロックさせるための摺動操作を行うものが一般的であった。
【０００３】
特許文献１に開示されている発明では、電池蓋に設けられている回転軸は外形が円形であり、回転軸をカメラ本体に設けられている回転軸受け内で摺動と回動とをさせることにより、電池蓋を閉止ロック位置から開放回動位置まで操作可能である。
【０００４】
また、特許文献２で開示されている発明では、電池蓋に設けられている回転軸の外周面を一部カットすることにより、回転軸をカット面付き円形断面の形状に成形している。カット面を電池蓋の摺動方向と一致するように成形することにより、カット面に沿って電池蓋を摺動操作することが可能となり、摺動時における電池蓋の誤操作防止となっている。
【特許文献１】公開実用新案昭６３−１２５８３３号公報
【特許文献２】特開２００１−８４９７５号公報
【発明の開示】
【発明が解決しようとする課題】
【０００５】
しかし、特許文献１に開示されている発明では、回転軸が円形であるため、回転軸と回転軸受け部との接触面積が小さく、電池蓋の摺動操作中に回転軸が回転軸受け部から外れてしまい破損する可能性があった。また、回動操作をし、電池蓋が開放回動位置に達したとき、さらに開放回動方向へ負荷をかけると、回転軸と回転軸受け部との接触面積が小さいため係止仕切れず、開放回動位置から更に回動してしまい回転軸、あるいは、電池蓋が破損する可能性があった。特に、急いで電池蓋の開閉操作を行ったときに上述のような破損する可能性があった。
【０００６】
また、特許文献２に開示されている発明では、円形の回転軸よりもカット面を有した回転軸の方が回転軸受け部に接する面積が大きいため、摺動操作中に電池蓋へ負荷がかかっても回転軸が回転軸受け部から外れて破損する可能性を低減できた。しかし、回動操作をし、電池蓋が開放回動位置に達したとき、さらに開放回動方向へ負荷をかけると、特許文献１の発明同様に回転軸と回転軸受け部との接触面積が摺動操作中の接触面積よりも小さいため係止仕切れず、開放回動位置からさらに回動してしまい回転軸、あるいは、電池蓋が破損する可能性が依然としてあった。
【０００７】
電子機器用蓋の開閉操作において、誤操作と誤操作をしても破損を防ぐような回転軸と回転軸受け部との構造が必要とされた。
【０００８】
本発明は、上述の不具合を解決するためになされたものであり、電子機器用蓋の回転軸と電子機器用蓋とが破損しにくくすることを目的とする。
【課題を解決するための手段】
【０００９】
本発明の請求項１記載の電子機器本体に軸支されて、閉止ロック位置から開放回動位置まで摺動と回動とが可能な電子機器用蓋であって、該電子機器用蓋は一端に回転軸を有し、他端に閉止ロックに使用される係止爪を有し、前記回転軸は前記電子機器用蓋が開放回動位置に達したとき、前記回転軸全体で係止可能であり、前記回転軸部にはアーム部が設けられ、前記電子機器本体には前記電子機器用蓋を係止するストッパーが設けられ、また、前記回転軸と前記アーム部とが係合する回転軸受け部とアーム部受け部とが設けられており、該回転軸受け部と該アーム部受け部とにはそれぞれ摺動用受け部と回動用受け部とが連通して設けられており、前記回転軸受け部と前記アーム部受け部との内で前記回転軸と前記アーム部とが摺動と回動とをすることによって開閉可能となるように構成される。
【００１０】
本発明の請求項２記載の電子機器用蓋は、前記アーム部の外形は、回転軸方向のアーム部の幅よりも回転軸の軸心からアーム部の先端部までアーム部の腕の長さを大きくとるように成形されている。
【発明の効果】
【００１１】
電子機器用蓋を支持する回転軸としてアーム部を設けた回転軸を用いることにより、摺動操作中と回動操作中とにおいて電子機器用蓋ががたつくことなく操作可能となり、破損を防止することが出来るようになった。特に、電子機器用蓋が受け部から外れた状態や斜めになった状態で摺動操作されて破損されることが防止可能となった。また、ストッパーを設けることにより、電子機器用蓋を解放回動位置から更に開放回動方向へ誤って回動することを防止可能となった。
【発明を実施するための最良の形態】
【００１２】
以下、図に基づいて本発明の実施の形態について説明する。図１は、本発明の一実施形態である電子機器用蓋の開閉機構を適用した電子閃光装置の外観を示す。図１では電子閃光装置用蓋３は閉止ロック位置である。なお図１は電子閃光装置本体１底面側を上方とする図である。
【００１３】
図２は電子閃光装置用蓋３を上から見た平面図である。
【００１４】
図３は電子閃光装置用蓋３の斜視図である。電子閃光装置用蓋３の一端に回転軸３ｃを設け、回転軸３ｃの両端部にアーム部３ｂを設けた。また、電子閃光装置用蓋３の他端には閉止ロックに使用される係止爪３ａを設けた。アーム部３ｂの腕の長さＬを回転軸方向のアーム部３ｂの幅Ｗよりも回転軸３ｃの軸心からアーム部３ｂの先端部まで大きくとることによりアーム部３ｂの回転半径を大きくした。
【００１５】
図４は、電子閃光装置用蓋３に設けられた回転軸３ｃとアーム部３ｂとが係合する電子閃光装置本体１の軸支部２に設けられた回転軸受け部２ａとアーム部受け部２ｂを示す図である。電子閃光装置本体１には回転軸３ｃとアーム部３ｂとが係合する回転軸受け部２ａとアーム部受け部２ｂとが設けられており、回転軸受け部２ａとアーム部受け部２ｂとにはそれぞれ摺動用受け部２ａ１，２ｂ１と摺動用受け部２ａ１，２ｂ１より深く且つ扇形に成形された回動用受け部２ａ２，２ｂ２とが設けられている。回転軸摺動用受け部２ａ１と回転軸回動用受け部２ａ２とが連通し、アーム部摺動用受け部２ｂ１とアーム部回動用受け部２ｂ２とが連通して設けられており、電子閃光装置用蓋３は回転軸受け部２ａ内で回転軸３ｃを、アーム部受け部２ｂ内でアーム部３ｂを摺動と回動とによって操作される。以下の説明では電子閃光装置本体１底面側を上にした状態の電子閃光装置用蓋３を基準にして、電子閃光装置本体１の上方側を底面側として記述する。
【００１６】
図５は図２においてＡ−Ａ線に沿う断面図であり、電子閃光装置用蓋３は閉止ロック位置にある。閉止ロック位置から開放回動位置にするためには、図６に示すように、摺動方向Ｃ１へ電子閃光装置用蓋３を摺動させ、Ｃ１方向への摺動が終了したときに電子閃光装置本体１のロック溝１ａから係止爪３ａが外れる。このとき、アーム部３ｂが回動可能に成形されたアーム部受け部２ｂのアーム部回動用受け部２ｂ２の扇形部まで摺動する。電子閃光装置用蓋３のアーム部３ｂ全体がアーム部回動用受け部２ｂ２まで完全に摺動していないとアーム部３ｂの先端部がアーム部摺動用受け部２ｂ１内にあるため、電子閃光装置用蓋１ａの回動操作が不可能となる。
【００１７】
図７は電子閃光装置用蓋３の開放回動位置における各部材の動作の説明の図である。アーム部３ｂがアーム部回動用受け部２ｂ２の終端部５で係止され、電子閃光装置用蓋３の回転軸３ｃ側がストッパー４で係止されるため、開放回動方向Ｄ２へ向かう負荷を加えても電子閃光装置用蓋３は回動が不可能となる。これにより開放回動位置からの電子閃光装置用蓋３の開放回動方向への回動操作を防止することが可能となっている。
【００１８】
図７において、電子閃光装置用蓋３を開放回動位置から閉止ロック位置にするには、電子閃光装置用蓋３をＤ１方向へ回動させ閉止させる。閉止後、電子閃光装置用蓋３をＣ２方向に摺動させ係止爪３ａをロック溝１ａに嵌入させることによって閉止ロック位置にする。この閉止ロック操作において、電子閃光装置用蓋３を完全な閉止位置まで回動させていない状態では、電子閃光装置用蓋３をＣ２方向に摺動させようとしてもアーム部３ｂがアーム部回動用受け部２ｂ２内にあるため、アーム部摺動用受け部２ｂ１への進入は不可能である。このため、回動操作が不完全な状態での電子閃光装置用蓋３の閉止ロックが防止されるのである。
【００１９】
図８は図２においてＢ−Ｂ線に沿う中心部の断面図であり、電子閃光装置用蓋３は閉止ロック位置にある。閉止ロック位置から開放回動位置にするためには、図９に示すように、摺動方向Ｃ１へ電子閃光装置用蓋３を摺動させ、Ｃ１方向への摺動が終了したときにロック溝１ａから係止爪３ａが外れる。このとき、回転軸３ｃが回動可能に成形された回転軸受け部２ａの回転軸回動用受け部２ａ２の扇形部まで摺動する。電子閃光装置用蓋３の回転軸３ｃ全体が回転軸回動用受け部２ａ２まで摺動していないと回転軸３ｃの先端部が回転軸摺動用受け部２ａ１内にあるため、電子閃光装置用蓋３の回動操作が不可能となる。
【００２０】
図１０は電子閃光装置用蓋３の開放回動位置における各部材の動作の説明の図である。回転軸３ｃが回転軸回動用受け部２ａ２の終端部６で係止され、電子閃光装置用蓋３の回転軸３ｃ側がストッパー４で係止されるため、電子閃光装置用蓋３に開放回動方向Ｄ２へ向かう負荷を加えても電子閃光装置用蓋３は回動が不可能となる。これにより開放回動位置からの電子閃光装置用蓋３の開放回動方向への回動操作を防止することが可能となった。
【００２１】
図１０において、電子閃光装置用蓋３を開放回動位置から閉止ロック位置にするには、電子閃光装置用蓋３をＤ１方向へ回動させ閉止させる。閉止後Ｃ２方向に摺動させ閉止ロック位置にする。この閉止ロック操作において、電子閃光装置用蓋３を完全な閉止位置まで回動させていない状態では、電子閃光装置用蓋３をＣ２方向に摺動させようとしても回転軸３ｃが回転軸回動用受け部２ａ２内にあるため、回転軸摺動用受け部への進入は不可能である。このため、回動操作が不完全な状態での電子閃光装置用蓋３の閉止ロック位置への誤操作が防止されるのである。
【００２２】
一つの回転軸に２種類の係止部を備えることにより、電子閃光装置用蓋３が開放回動位置にあるときアーム部３ｂがストッパー４とアーム部回動用受け部２ｂ２の終端部５とによって係止され、回転軸３ｃがストッパー４と回転軸回動用受け部２ａ２の終端部６とによって係止される。この二重に係止される効果により、電子閃光装置用蓋３が誤作動で開放回動位置から更に開放回動方向へ回動するのを防止される。また、各受け部に対する回転軸３ｃとアーム部３ｂとの接触面積が大きくなるほど、摺動操作中と回動操作中とにおいて電子閃光装置用蓋３の誤操作を防止可能となる。
【００２３】
尚、上記実施例ではアーム部を回転軸の両端部に設けたが、アーム部を片方の端部のみに設けても同様の効果が得られる。
【００２４】
また、少なくとも一つ以上のアーム部を回転軸端部以外の回転軸部内に設けても同様の効果が得られる。
【図面の簡単な説明】
【００２５】
【図１】電子閃光装置本体１の底面側に配設された電子閃光装置用蓋３を上方とした図である。
【図２】電子閃光装置用蓋３を上から見た図である。
【図３】電子閃光装置用蓋３と電子閃光装置用蓋３に配設された係止爪３ａ、アーム部３ｂと回転軸３ｃの図である。
【図４】電子閃光装置用蓋３の回転軸受け部２ａとアーム部受け部２ｂとを配設された電子閃光装置１の図である。但し、回転軸受け部２ａは回転軸摺動用受け部２ａ１と回転軸回動用受け部２ａ２とから構成され、アーム部受け部２ｂはアーム部摺動用受け部２ｂ１とアーム部回動用受け部２ｂ２とから構成される。
【図５】図２のＡ−Ａ線における断面図である。このとき電子閃光装置用蓋３は閉止ロック位置にある。
【図６】電子閃光装置用蓋３をＣ１方向に摺動操作し、摺動操作終了後、Ｄ２方向に回動操作を始めたときのＡ−Ａ線における断面図である。
【図７】電子閃光装置用蓋３が開放回動位置にあるときのＡ−Ａ線における断面図である。
【図８】図２のＢ−Ｂ線における断面図である。このとき電子閃光装置用蓋３は閉止ロック位置にある。
【図９】電子閃光装置用蓋３をＣ１方向に摺動操作し、摺動操作終了後、Ｄ２方向に回動操作を始めたときのＢ−Ｂ線における断面図である。
【図１０】電子閃光装置用蓋３が開放回動位置にあるときのＢ−Ｂ線における断面図である。
【符号の説明】
【００２６】
１    電子閃光装置本体
１ａ  ロック溝
２ａ  回転軸受け部
２ａ１  回転軸摺動用受け部
２ａ２  回転軸回動用受け部
２ｂ  アーム部受け部
２ｂ１  アーム部摺動用受け部
２ｂ２  アーム部回動用受け部
３    電子閃光装置用蓋
３ａ  係止爪
３ｂ  アーム部
３ｃ  回転軸 
４    ストッパー
５    アーム部回動用受け部２ｂ２の終端部
６    回転軸回動用受け部２ａ２の終端部
【図１】
0005134313.tif 000002
【図２】
0005134313.tif 000003
【図３】
0005134313.tif 000004
【図４】
0005134313.tif 000005
【図５】
0005134313.tif 000006
【図６】
0005134313.tif 000007
【図７】
0005134313.tif 000008
【図８】
0005134313.tif 000009
【図９】
0005134313.tif 000010
【図１０】
0005134313.tif 000011